(57)【要約】【課題】スキーの技能及び技量の上達を可能にするゴーグルを提供する。【解決手段】本発明のゴーグル１は、レンズ体１１と、レンズ体１１を支持するレンズ体支持部１２と、レンズ体支持部１２に対して後方の周縁部に位置決めされ、可撓性を有し、かつ、装着者の顔に当接可能なフェイスプレート部１３と、フェイスプレート部１３の中央に設けられ、角柱体状であり、かつ、前記装着者の視線の矯正を可能にする視線矯正部１４と、を備え、視線矯正部１４は、前記装着者に対向する対向面１４ａ、対向面１４ａに対して右側に位置する右側面１４ｂ、及び当該対向面１４ａに対して左側に位置する左側面１４ｃに於いて、相互に異なる色を有しており、かつ、前記装着者の視野を右側視野と左側視野に区画することを特徴とする。【選択図】  図１
2020177153.tif 000002
【特許請求の範囲】
【請求項１】
レンズ体と、
前記レンズ体を支持するレンズ体支持部と、
前記レンズ体支持部に対して後方の周縁部に位置決めされ、可撓性を有し、かつ、装着者の顔に当接可能なフェイスプレート部と、
前記フェイスプレート部の中央に設けられ、角柱体状であり、かつ、前記装着者の視線の矯正を可能にする視線矯正部と、
を備え、
前記視線矯正部は、
前記装着者に対向する対向面、当該対向面に対して右側に位置する右側面、及び当該対向面に対して左側に位置する左側面に於いて、相互に異なる色を有しており、
かつ、前記装着者の視野を右側視野と左側視野に区画するゴーグル。
【請求項２】
前記視線矯正部が、前記フェイスプレート部の中央に着脱可能に設けられている請求項１に記載のゴーグル。
【請求項３】
前記レンズ体が左右一体型のレンズ体である請求項１又は２に記載のゴーグル。
【請求項４】
前記視線矯正部が弾性を有する請求項１〜３の何れか１項に記載のゴーグル。
【発明の詳細な説明】
【技術分野】
【０００１】
本発明はゴーグルに関し、より詳細には、スキーの技能及び技量を各段に上達させることが可能なスキー用のゴーグルに関する。
【背景技術】
【０００２】
スキー等に於いてゴーグルは、視界の確保や目の保護等の役割を担う。また、ＵＶ（紫外線）カット機能のレンズを備えたゴーグルの場合であると、紫外線からの保護も行う。近年は、ゴーグルの装着を快適にするため、軽量化や防曇機能の付与、レンズの取付け技術の向上など、様々な改良が加えられている（例えば、特許文献１）。
【０００３】
しかしながら、従来のゴーグルに於いては、スキーのより速やかな上達を図るための運動補助具として用いられることはなかった。
【先行技術文献】
【特許文献】
【０００４】
【特許文献１】特表２０１２−５１５９４７号
【発明の概要】
【発明が解決しようとする課題】
【０００５】
本発明は前記問題点に鑑みなされたものであり、その目的は、スキーの技能及び技量の上達を可能にするゴーグルを提供することにある。
【課題を解決するための手段】
【０００６】
本発明に係るゴーグルは、前記の課題を解決する為に、レンズ体と、前記レンズ体を支持するレンズ体支持部と、前記レンズ体支持部に対して後方の周縁部に位置決めされ、可撓性を有し、かつ、装着者の顔に当接可能なフェイスプレート部と、前記フェイスプレート部の中央に設けられ、角柱体状であり、かつ、前記装着者の視線の矯正を可能にする視線矯正部と、を備え、前記視線矯正部は、前記装着者に対向する対向面、当該対向面に対して右側に位置する右側面、及び当該対向面に対して左側に位置する左側面に於いて、相互に異なる色を有しており、かつ、前記装着者の視野を右側視野と左側視野に区画することを特徴とする。
【０００７】
前記の構成に於いては、前記視線矯正部が、前記フェイスプレート部の中央に着脱可能に設けられていることが好ましい。
【０００８】
前記の構成に於いては、前記レンズ体が左右一体型のレンズ体であってもよい。
【０００９】
さらに、前記の構成に於いては、前記視線矯正部が弾性を有することが好ましい。
【発明の効果】
【００１０】
本発明によれば、レンズ体を支持するレンズ体支持部に対して、その後方の周縁部に位置決めされたフェイスプレート部の中央には、装着者の視線の矯正を可能にする視線矯正部が設けられている。この視線矯正部は角柱体状であり、装着者に対向する対向面に対して右側に位置する右側面と、当該対向面に対して左側に位置する左側面とで、相互に異なる色を有している。また、対向面についても右側面と左側面で色が異なっている。
【００１１】
ここで、滑降中にターンを行う場合、視線（目線）はターン方向に安定した状態（定まった状態）であることが好ましい。これにより、頭の向き、傾き、及び前後位置をコントロールすることが可能になり、スムーズなターンができる。視線がターン方向に対して定まっておらず、頭の位置が不安定な状態であると、切り替え時の後傾、内側転倒、体のアンバランスを筋力で補ったターンの繰り返しによる疲労など、多くのスキーヤーが陥る問題が発生し、スムーズなターンは困難になる。しかし、本発明のゴーグルは、視線矯正部をフェイスプレート部の中央に備えており、この視線矯正部は装着者に対向する対向面と、対向面の右側に位置する右側面と、左側に位置する左側面とで異なる３色を有している。そのため、装着者が右側にターンする場合には、装着者の左側視野に於いて、左側面の色を視認させることができる。その一方、装着者が左側にターンする場合には、装着者の右側視野に於いて、右側面の色を視認させることができる。この様に、ターンを行う際に、ターン方向とは反対側の視野領域で、視線矯正部の右側面又は左側面の色を視認させることで、装着者が常に利き目で左右両ターンを行おうとするのを矯正することができる。また、ターンの切り替えの際には、装着者に対向面の色を視認させることができる。これにより、スキー板に対して前傾方向へ頭の位置を移動させ、装着者が後傾となるのを矯正することができる。その結果、装着者は、前傾した状態で左右のターンを均等に行うことが可能となり、スキーの技能、特にターンを行う際の技能を各段に上達させることができる。
【図面の簡単な説明】
【００１２】
【図１】本発明の実施の形態に係るゴーグルを模式的に表す斜視図である。
【図２】前記ゴーグルを模式的に表す正面図である。
【図３】前記ゴーグルを模式的に表す平面図である。
【図４】前記ゴーグルを内側方向からみた斜視図である。
【図５】前記ゴーグルを模式的に表す背面図である。
【図６】前記ゴーグルに於ける視線矯正部を模式的に表す斜視図である。
【発明を実施するための形態】
【００１３】
本発明の実施の形態に係るゴーグルについて、図１〜図６を参照しながら以下に説明する。但し、説明に不要な部分は省略し、また説明を容易にする為に拡大または縮小等して図示した部分がある。図１は、本実施の形態に係るゴーグルを模式的に表す斜視図である。図２は、前記ゴーグルを模式的に表す正面図である。図３は、前記ゴーグルを模式的に表す平面図である。図４は、前記ゴーグルを内側方向からみた斜視図である。図５は、前記ゴーグルを模式的に表す背面図である。図６は、前記ゴーグルに於ける視線矯正部を模式的に表す斜視図である。
【００１４】
本実施の形態に係るゴーグル１は、図１〜図３に示すように、レンズ体１１と、レンズ体支持部１２と、フェイスプレート部１３と、視線矯正部１４と、ヘッド保持部１５とを少なくとも備える。ゴーグル１は、当該ゴーグル１の装着者の目及びその周辺領域に於いて、粒子状物質や水、雪等から遮断して保護する機能を有している。
【００１５】
前記レンズ体１１は左右一体型のレンズ体である。レンズ体１１は、図１に示す中心線Ｃを対称線として左右対称の形状を有している。これにより、図３に示す右側視野Ａと左側視野Ｂの領域を均等にする。尚、レンズ体１１は左右一体型の場合に限定されるものではなく、図２に示す中心線Ｃを対称線として、左右に分離した分離型のレンズ体であってもよい。
【００１６】
前記レンズ体支持部１２は、周状に閉じられており、その外形はレンズ体１１に対応した形状を有している。レンズ体支持部１２はレンズ体１１の周囲と当接する。レンズ体支持部１２の底部には、着用者の鼻の鼻梁上にゴーグル１を位置付けるための凹部１２ａが設けられている。これにより、本実施の形態のゴーグル１は、装着者の鼻を外部に露出させることができる。
【００１７】
前記フェイスプレート部１３は、レンズ体支持部１２に対して後方の周縁部に位置決めされて設けられている。フェイスプレート部１３は、可撓性を有しており、これにより、装着者の顔に当接し、ゴーグル１が着用者の顔の表面に適合可能となっている。フェイスプレート部１３の材料としては特に限定されず、例えば低反発のスポンジやゴム等を用いることができる。
【００１８】
前記視線矯正部１４は、その全体形状が直方体状であり、フェイスプレート部１３の中央に設けられる。具体的には、図４及び図５に示すように、視線矯正部１４の上部をレンズ体１１とフェイスプレート部１３との隙間に嵌合させ、当該視線矯正部１４の下部を、レンズ体支持部１２の凹部１２ａに係止させることで、フェイスプレート部１３の中央に備え付けられる。これにより、視線矯正部１４は、ゴーグル１から着脱自在になっている。
【００１９】
視線矯正部１４に於ける、装着者に対向する対向面１４ａ側の角部には、段差状の切り欠き部１４ｄが設けられている。この切り欠き部１４ｄがフェイスプレート部１３を押圧して変形させることで、レンズ体１１とフェイスプレート部１３との隙間に、視線矯正部１４の上部が嵌合するのを可能にしている。尚、本実施の形態では、切り欠き部１４ｄが段差状の場合を例にして説明したが、本発明はこれに限定されるものではない。切り欠き部１４ｄの形状は、レンズ体１１及びフェイスプレート部１３等の形状に応じて適宜設定することができる。また、視線矯正部１４は、切り欠き部１４ｄを有しない態様であってもよい。
【００２０】
また、視線矯正部１４の下部の底面は、後述の対向面１４ａに向かうに従い、当該対向面１４ａの面積が小さくなるように傾斜している。そして、視線矯正部１４の下部の、レンズ体支持部１２の凹部１２ａへの係止は、切り欠き部１４ｄの押圧により変形しているフェイスプレート部１３が元の形状に復元しようとする力の作用により可能となっている。尚、視線矯正部１４に於ける下部の底面の傾斜の程度は特に限定されず、適宜設定することができる。また、本実施の形態では、視線矯正部１４の下部の底面が傾斜している場合を例にして説明したが、本発明はこれに限定されず、種々の形状を採用することができる。
【００２１】
また、視線矯正部１４に於いて、装着者に対向する対向面１４ａ、対向面１４ａに対して右側に位置する右側面１４ｂ、及び当該対向面に対して左側に位置する左側面１４ｃは、少なくとも相互に異なる色を有している（図６参照）。これにより、装着者の視野を右側視野Ａと左側視野Ｂに区画することができる。そして、装着者が視線を左側視野の方向に向けたとき、右目が右側面１４ｂの色を視認することができ、その反対に、視線を右側視野の方向に向けたとき、左目が左側面１４ｃの色を視認することができる。また、対向面１４ａを右側面１４ｂ及び左側面１４ｃと異なる色とするのは、右側面１４ｂ及び左側面１４ｃが有する色を明確に視認できるようにするためである。これにより、装着者がターンの切り替えを行う際に、対向面１４ａの色を視認させることができる。
【００２２】
尚、視線矯正部１４は直方体状の場合に限定されず、多角柱等の角柱体状であればよい。また、対向面１４ａ、右側面１４ｂ及び左側面１４ｃの各色の組合せは特に限定されず、例えば、対向面１４ａを黒色、右側面１４ｂを赤色、左側面１４ｃを青色にするなど、色差が相互に大きくなる組合せにするのが好ましい。
【００２３】
視線矯正部１４の構成材料としては特に限定されないが、弾性を有し、かつ、加工性に優れるものが好ましい。そのような構成材料としては、例えば、低反発のスポンジやゴム等が挙げられる。
【００２４】
前記ヘッド保持部１５は、ゴーグル１の使用の際に、装着者の頭部への固定を可能にする。具体的には、装着者がフェイスプレート部１３を自身の顔面上で位置決めし、頭部の後ろ側に周り込むヘッド保持部１５を調整することで、フェイスプレート部１３を堅く、しかし快適に、適所に固定する。
【符号の説明】
【００２５】
１  ゴーグル
１１  レンズ体
１２  レンズ体支持部
１２ａ  凹部
１３  フェイスプレート部
１４  視線矯正部
１４ａ  対向面
１４ｂ  右側面
１４ｃ  左側面
１４ｄ  切り欠き部
１５  ヘッド保持部
【図１】
2020177153.tif 000003
【図２】
2020177153.tif 000004
【図３】
2020177153.tif 000005
【図４】
2020177153.tif 000006
【図５】
2020177153.tif 000007
【図６】
2020177153.tif 000008